(57)【要約】【課題】  押圧力を強くすることができるとともに指圧効果が得られる脚部用施療装置を提供する。【解決手段】  脚部に対向した噴射孔１０１ａを有するパイプ１０１と、このパイプ１０１内に流体を送り込んで噴射孔１０１ａから流体を噴射させるポンプと、パイプ１０１を覆った袋１０３とを備えた脚部用施療装置であって、噴射孔１０１ａから噴射した流体を袋１０３を介して脚部に当てるとともに、この噴射した流体をその袋１０３内を通って前記ポンプへ循環させる。【選択図】  図３
2005270199.tif 000002
【特許請求の範囲】
【請求項１】
被施療者の脚部に対向した噴射孔を有するパイプと、このパイプ内に流体を送り込んで前記噴射孔から流体を噴射させるポンプと、前記パイプを覆った袋とを備えた脚部用施療装置であって、
前記噴射孔から噴射した流体を前記袋を介して脚部に当てるとともに、この噴射した流体をその袋内を通って前記ポンプへ循環させることを特徴とする脚部用施療装置。
【請求項２】
前記パイプは環状に形成されるとともに複数の噴射孔を有し且つ被施療者の脚部に沿って複数並設され、流体を噴出するパイプは足首側のパイプから膝側のパイプへと順次切り換わっていくことを特徴とする請求項１に記載の脚部用施療装置。
【請求項３】
前記パイプは環状に形成されるとともに複数の噴射孔を有し且つ被施療者の脚部に沿って移動可能となっていることを特徴とする請求項１に記載の脚部用施療装置。
【請求項４】
被施療者の脚部に対向した噴射孔を有するパイプと、このパイプ内に流体を送り込んで前記噴射孔から流体を噴射させるポンプとを備えた脚部用施療装置であって、
前記パイプは環状に形成されるとともに複数の噴射孔を有し且つ被施療者の脚部に沿って複数並設され、流体を噴出するパイプは足首側のパイプから膝側のパイプへと順次切り換り、
被施療者の脚部に噴射した流体を下部の回収部で回収して前記ポンプへ循環させることを特徴とする脚部用施療装置。
【請求項５】
被施療者の脚部に対向した噴射孔を有するパイプと、このパイプ内に流体を送り込んで前記噴射孔から流体を噴射させるポンプとを備えた脚部用施療装置であって、
前記パイプは環状に形成されるとともに複数の噴射孔を有し且つ被施療者の脚部に沿って移動可能となっており、
被施療者の脚部に噴射した流体を下部の回収部で回収して前記ポンプへ循環させることを特徴とする脚部用施療装置。
【請求項６】
脚の前外側と、脹ら脛と、脚内側のいずれかが受ける圧力が、その他の部分が受ける圧力よりも強くなるようにしたことを特徴とする請求項２ないし請求項５のいずれか１つに記載の脚部用施療装置。
【請求項７】
噴出孔の径、単位面積当たりの噴出孔の数、ポンプの出力のいずれかによって、前記受ける圧力が強くなるようにしたり、弱くなるようにしたりすることを特徴とする請求項６に記載の脚部用施療装置。
【請求項８】
前記流体が温液体であることを特徴とする請求項１ないし請求項７のいずれか１つに記載の脚部用施療装置。
【請求項９】
前記噴出する流体は温液体と冷液体であり、この温液体と冷液体が交互に噴出されることを特徴とする請求項１ないし請求項８のいずれか１つに記載の脚部用施療装置。
【請求項１０】
前記流体が断続的に噴出されることを特徴とする請求項１ないし請求項９のいずれか１つに記載の脚部用施療装置。
【請求項１１】
前記流体の噴出する圧力が足首側で強く、膝側で弱くなることを特徴とする請求項１ないし請求項１０のいずれか１つに記載の脚部用施療装置。
【請求項１２】
請求項１ないし請求項１１のいずれか１つに記載の脚部用施療装置を備えたことを特徴とする椅子式施療装置。
【発明の詳細な説明】
【技術分野】
【０００１】
この発明は、流体を脚部に向け噴出することにより脚部を施療する脚部用施療装置と椅子式施療装置とに関する。
【背景技術】
【０００２】
従来から、脚載置台にエアバッグを設けたマッサージ装置が知られている（特許文献１参照）。
【０００３】
かかるマッサージ装置は、脚載置台に凹部を形成し、この凹部の両側壁部の内側にエアバッグを配設したものである。そして、エアバッグを膨縮することにより脚部のマッサージを行うようになっている。
【特許文献１】特開平９−６６０８７号公報
【発明の開示】
【発明が解決しようとする課題】
【０００４】
しかしながら、このようなマッサージ装置にあっては、空気をエアバッグに給気してエアバッグを膨張させて脚部を押圧していくものであるが、エアバッグは広範囲に亘って押圧していくので、凹凸のある部分へ均一な押圧力を与えられず、またスポット的に強い押圧力を与える指圧効果が得られ難いという問題があった。
【０００５】
この発明の目的は、凹凸のある部分へ均一な押圧力を与えることができ、しかも指圧効果が得られる脚部用施療装置と椅子式施療装置を提供することにある。
【課題を解決するための手段】
【０００６】
請求項１の発明は、被施療者の脚部に対向した噴射孔を有するパイプと、このパイプ内に流体を送り込んで前記噴射孔から流体を噴射させるポンプと、前記パイプを覆った袋とを備えた脚部用施療装置であって、
前記噴射孔から噴射した流体を前記袋を介して脚部に当てるとともに、この噴射した流体をその袋内を通って前記ポンプへ循環させることを特徴とする。
【０００７】
請求項４の発明は、被施療者の脚部に対向した噴射孔を有するパイプと、このパイプ内に流体を送り込んで前記噴射孔から流体を噴射させるポンプとを備えた脚部用施療装置であって、
前記パイプは環状に形成されるとともに複数の噴射孔を有し且つ被施療者の脚部に沿って複数並設され、流体を噴出するパイプは足首側のパイプから膝側のパイプへと順次切り換り、
被施療者の脚部に噴射した流体を下部の回収部で回収して前記ポンプへ循環させることを特徴とする。
【０００８】
請求項５の発明は、被施療者の脚部に対向した噴射孔を有するパイプと、このパイプ内に流体を送り込んで前記噴射孔から流体を噴射させるポンプとを備えた脚部用施療装置であって、
前記パイプは環状に形成されるとともに複数の噴射孔を有し且つ被施療者の脚部に沿って移動可能となっており、
被施療者の脚部に噴射した流体を下部の回収部で回収して前記ポンプへ循環させることを特徴とする。
【発明の効果】
【０００９】
この発明によれば、凹凸のある部分へ均一な押圧力を与えることができ、しかも指圧効果が得られる。
【発明を実施するための最良の形態】
【００１０】
以下、この発明に係る脚部用施療装置を備えた椅子式施療装置の実施例を図面に基づいて説明する。
【実施例】
【００１１】
［第１実施例］
図１に示す椅子式施療装置１０は、座部１１と、この座部１１の後ろに設けたリクライニングが可能な背凭れ部１２と、座部１１の前に設けたオットマン２０と、オットマン２０に設けた脚部用施療装置１００と、座部１１の両側に設けたアームレスト部１４,１５と、後述するエアバッグ（施療手段）Ａ１ａ〜Ａ６を膨縮させる給排気装置５０と、施療（マッサージ）モードの設定やその他各種の操作を行うリモートコントロール装置（リモコン）２００等とを備えている。
【００１２】
背凭れ部１２には、首用のエアバッグＡ１ａ,Ａ１ｂと、肩用のエアバッグＡ２ａ,Ａ２ｂと、背中用のエアバッグＡ３と、腰用のエアバッグＡ４ａ,Ａ４ｂとが設けられている。
【００１３】
座部１１には、臀部用のエアバッグＡ５と腿用のエアバッグＡ６とが設けられている。
【００１４】
オットマン２０は、座部１１の前部に回転中心を有し、この回転中心を中心にして回動可能となっている。また、オットマン２０は、図２に示すように脚を載せる一対の凹部２１,２２を設けた台座部２３を有している。凹部２１,２２は図１において前後方向に延びており、凹部２１,２２の底部には長手方向（前後方向）に沿ってスリット２１Ａ,２２Ａが形成されている。
【００１５】
台座部２３には、凹部２１,２２を覆う半筒状の蓋体２４,２５の一端が軸支され、蓋体２４,２５がその軸２４Ｊ,２５Ｊ回りに回動することにより開閉するようになっている。そして、蓋体２４,２５が開成されることにより台座部２３の凹部２１,２２が開放される。
【００１６】
脚部用施療装置１００は、台座部２３の凹部２１,２２の長手方向に沿って移動可能な環状のパイプ１０１,１０２と、このパイプ１０１,１０２を覆うとともに中央部に脚部を通す穴１０３Ａ,１０４Ａを有する非通水性の例えばビニール等からなるドーナッツ状の袋１０３,１０４と、パイプ１０１,１０２を凹部２１,２２の長手方向に沿って移動させる移動機構１５０（図４参照）と、パイプ１０１,１０２に水（流体）を送り込む送水装置１７０等とを備えている。袋１０３,１０４は密閉されており、後述するパイプ１０１,１０２のノズル孔１０１ａ,１０２ａから噴出する水が外へ漏れないようになっている。
【００１７】
パイプ１０１は、図３に示すようにリング板１０５の内側に取り付けられており、パイプ１０１の内側には水を噴出する複数のノズル孔１０１ａ…が設けられている。各ノズル孔１０１ａ…は、脚の前外側と、脹ら脛と、脚内側等とに対向して設けられ、脛骨には対向しない位置に設けられている。パイプ１０２は、リング板１１５（図２参照）の内側に取り付けられており、パイプ１０１と同様な構成となっているのでその説明は省略する。
【００１８】
移動機構１５０は、図２に示すように台座部２３内に設けられており、Ｌ字形のアーム１５１,１５２と、このアーム１５１,１５２を設けた移動台１５３と、この移動台１５３に設けたネジ孔１５３Ａに螺合したスクリューシャフト１５４と、このスクリューシャフト１５４を回転させるための駆動モータＭ１（図４参照）等とを備えている。
【００１９】
アーム１５１,１５２の先端部１５１Ａ,１５２Ａは、台座部２３のスリット２１Ａ,２２Ａを通ってリング板１０５,１１５に固定されており、移動台１５３の移動によってリング板１０５,１１５およびパイプ１０１,１０２が一体となって移動するようになっている。
【００２０】
スクリューシャフト１５４の両端部は、図４に示すように軸受部１５５により回転自在に保持されており、軸受部１５５は台座部２３に取り付けられている。また、スクリューシャフト１５４の右端部（図４において）にはギア１５６が設けられており、このギア１５６は駆動モータＭ１の駆動軸Ｍａに設けたギア１５７に噛合している。
【００２１】
そして、駆動モータＭ１の回転によってスクリューシャフト１５４が回転し、このスクリューシャフト１５４の回転によって移動台１５３が左右方向（オットマン２０が図１に示す位置にあるとき左右方向、オットマン２０が座部１１の下側位置に回動されたときには上下方向）に移動するようになっている。例えば駆動モータＭ１が一方の方向に回転すると、スクリューシャフト１５４が正転して図４に示す移動台１５３が右方向（図１において後方）に移動し、駆動モータＭ１が他方の方向に回転すると、スクリューシャフト１５４が逆回転して移動台１５３が左方向（図１において前方）に移動するようになっている。
【００２２】
送水装置１７０は、貯水タンク１７１と、この貯水タンク１７１に貯水された水をパイプ１０１,１０２へ送り込む送水ポンプ１７２等とを備えている。貯水タンク１７１は軟質の気密部材（図示せず）により覆われており、貯水タンク１７１がどのように傾いても水が漏れないようになっている。
【００２３】
パイプ１０１,１０２は、移動機構１５０のアーム１５１,１５２に沿って配設したホースＨ１,Ｈ２と、これらホースＨ１,Ｈ２に接続されたホースＨ３を介して送水ポンプ１７２の吐出口（図示せず）に連通され、袋１０３,１０４と貯水タンク１７１とがホースＨ４,Ｈ５によって連通されている。
【００２４】
給排気装置５０は、図６に示すように、エアーを給気するためのエアポンプ５１と、各エアバッグＡ１ａ〜Ａ６を膨縮させるための電磁弁Ｅ１〜Ｅ６と、各電磁弁Ｅ１〜Ｅ６とエアポンプ５１等とを制御する制御装置５２等とを備えている。Ｍ２はリクライニング用のモータ、Ｍ３はオットマン用のモータである。
【００２５】
また、制御装置５２は、リモコン２００の操作に基づいて駆動モータＭ１や送水ポンプ１７２を制御するようになっている。
【００２６】
各電磁弁Ｅ１〜Ｅ６は三方弁であり、各電磁弁Ｅ１〜Ｅ６の弁が第１位置に切り換わるとエアバッグＡ１ａ〜Ａ６とエアポンプ７１とが連通して各エアバッグＡ１ａ〜Ａ６が膨張し、第２位置に切り換わるとその連通路が閉成されて各エアバッグＡ１ａ〜Ａ６が膨張した状態に維持され、第３位置に切り換わると各エアバッグＡ１ａ〜Ａ６は外気に連通されて排気が行われる。この排気により各エアバッグＡ１ａ〜Ａ６は収縮していく。
［動  作］
次に、上記のように構成される椅子式施療装置１０の動作を説明する。なお、電磁弁Ｅ１〜Ｅ６は第３位置に切り換わっていて全てのエアバッグＡ１ａ〜Ａ６は収縮されており、脚部用施療装置１００のリング板１０５,１１５およびパイプ１０１,１０２はオットマン２０の先端位置、すなわち図４に示す鎖線位置に移動している。
【００２７】
脚部を施療する場合、先ず、オットマン２０の蓋体２４,２５を開成して、脚部用施療装置１００のパイプ１０１,１０２を覆った袋１０３,１０４の穴１０３Ａ,１０４Ａに足を入れて脚部をその穴１０３Ａ,１０４Ａに通す。そして、その脚部を台座部２３の凹部２１,２２に載置し、蓋体２４,２５を閉成する。
【００２８】
次に、リモコン２００を操作してオットマン２０を所望の位置へ回動させ、同様に背凭れ部１２を所望の位置へ回動させる。そして、脚部施療モードを定し、図示しないスタートスイッチを操作する。
【００２９】
この操作により、送水ポンプ１７２が駆動されて貯水槽１７１の水がパイプ１０１,１０２へ送り込まれていき、図６に示すようにパイプ１０１,１０２のノズル孔１０１ａ…,１０２ａ…から水が噴出されていく。このノズル孔１０１ａ…,１０２ａ…から噴出した水は、袋１０３,１０４を介して脚部Ｋの各部位に衝突していき、その各部位を押圧していくことになる。
【００３０】
水は空気に比較して大きな比重を有しているので、その押圧力は強く、脚部Ｋの各部位を強く押圧することができる。
【００３１】
ノズル孔１０１ａ…,１０２ａ…から噴出した水は袋１０３,１０４内を通ってホースＨ４を介して貯水槽へ流れていき、脚部Ｋが濡れてしまうことはない。しかも袋１０３,１０４が密閉されていることにより水が外へ漏れてしまうこともない。
【００３２】
他方、駆動モータＭ１が駆動されてスクリュウシャフト１５４が正転回転され、移動機構１５０の移動台１５３が鎖線位置から右方向（図４において）へ移動していく。すなわち、移動台１５３は図１においてオットマン２０の先端部位置から後方へ移動していく。
【００３３】
この移動台１５３の移動により、パイプ１０１,１０２がリング板１０５,１１５とともにオットマン２０の先端部から後部側へ移動していく。
【００３４】
すなわち、パイプ１０１,１０２は、ノズル孔１０１ａ…,１０２ａ…から水を噴出しながら足首側から膝側へ、オットマン２０が座部１１の下側に回動されているときには下から上へ移動していく。この移動により、体液が心臓側へ戻され、血流が良くなる。
【００３５】
移動台１５３がオットマン２０の後部位置へ移動すると、駆動モータＭ１の駆動が停止されるととももに送水ポンプ１７２の駆動が停止され、ノズル孔１０１ａ…,１０２ａ…から水の噴出が停止される。移動台１５３がオットマン２０の後部位置に位置したか否かの検知は例えば図示しないマイクロスイッチ等で行う。
【００３６】
そして、駆動モータＭ１が逆方向に駆動されて、移動台１５３が初期位置へ戻される。移動台１５３が初期位置へ戻ったことの検知は例えば図示しないマイクロスイッチ等で行う。
【００３７】
上記動作が予め設定された回数または所望回数だけ繰り返し行われて脚部Ｋの施療が終了する。
【００３８】
リモコン２００により他の施療モードが設定された場合には、エアポンプ５１が駆動されるとともに各施療モードに対応した電磁弁Ｅ１〜Ｅ６が制御されて、電磁弁Ｅ１〜Ｅ６に対応したエアバッグＡ１ａ〜Ａ６の膨縮が行われて各部の施療が行われていく。また、これらエアバッグＡ１ａ〜Ａ６の膨縮による施療と、脚部用施療装置１００による施療とが組み合わせられそれぞれの施療が行われるようにもなっている。
【００３９】
この第１実施例では、移動台１５３が右方向（図４において）に移動しているときだけ、パイプ１０１,１０２のノズル孔１０１ａ…,１０２ａ…から水を噴出させているが、施療モードによっては左方向に移動するときにもパイプ１０１,１０２のノズル孔１０１ａ…,１０２ａ…から水を噴出させてもよい。
【００４０】
また、この実施例では、パイプ１０１,１０２のノズル孔１０１ａ…,１０２ａ…から水を噴出させる強さは一定であるが、パイプ１０１,１０２が足首側から膝側へ移動していく際に、水の噴出する強さを徐々に弱くなるように送水ポンプ１７２を制御してもよい。また、断続的にパイプ１０１,１０２のノズル孔１０１ａ…,１０２ａ…から水を噴出させてもよい。
［第２実施例］
図７および図８は第２実施例の脚部用施療装置３００を示したものである。この脚部用施療装置３００は、足を載置するベース板３０１に取付板３０２を立設し、この取付板３０２に上下方向に沿って複数の環状のパイプ３０３…を設け、各パイプ３０３…へ貯水槽３０４の温水を電磁弁Ｇ…を介して送水ポンプ３０５により送水するようにしたものである。各パイプ３０３にはパイプ１０１,１０２と同様な複数のノズル孔３０３ａが形成されている。また、貯水槽３０４にはヒータ３０７が設けられており、貯水槽３０４の水を加熱することができるようになっている。また、貯水槽３０４は軟質の気密部材（図示せず）で覆われている。
【００４１】
また、各パイプ３０３は非通水性の袋３０６内に密閉されており、この袋３０６の中央部には上下に貫通した穴３０６Ａが形成されている。すなわち、袋３０６は円筒状に形成され、袋３０６の外側の外周面と穴３０６Ａの内周面との間に各パイプ３０３…が配置されている。また、袋３０６と貯水槽３０４とはホースＨ５により連通され、各パイプ３０３のノズル孔３０３ａから噴出した温水は袋３０６およびホースＨ５を介して貯水槽３０７へ戻るようになっている。
【００４２】
そして、袋３０６の穴３０６Ａの上から足を入れてその穴３０６内に脚部を通すものである。
【００４３】
図８に示す制御装置３５２は、リモコン２００の操作に基づいて各電磁弁Ｇおよびヒータ３０７を制御するようになっている。
【００４４】
この脚部用施療装置３００では、制御装置３５２が各電磁弁Ｇを制御することにより下（図７において）から或いは上から順番にパイプ３０３に温水を送り込んで、その温水が送り込まれたパイプ３０３のノズル孔３０３ａから温水を噴出させて脚部を施療していくものである。
【００４５】
この脚部用施療装置３００によれば、パイプ３０３を上下に移動させる移動機構が不要となり、しかも温水を噴出させるパイプ３０３の順番を上下以外にも他の順番に設定することができ、また一度に複数のパイプ３０３から温水を噴出させることもできる。さらに、温水をパイプ３０３のノズル孔３０３ａから噴出させるものであるから、心地よい施療を行うことができる。
【００４６】
また、各パイプ３０３のノズル孔１０３ａ…から水を噴出させる強さは一定であるが、膝側に近いパイプ３０３ほどノズル孔３０３ａ…から噴出する水の圧力を弱くなるように送水ポンプ３０５を制御してもよい。また、断続的に各パイプ３０３のノズル孔３０３ａ…から水を噴出させてもよい。
【００４７】
脚部用施療装置３００は、専用の脚部用として単独で使用してもよく、椅子のオットマンに設けて椅子式施療装置として使用してもよい。
［第３実施例］
図９および図１０は第３実施例の脚部用施療装置４００を示したものである。図９において、４０１は足を載置するベース板であり、このベース板４０１の後端（図９において右端）に支持壁４０２が立設され、支持壁４０２の上部に軸受部４０３が設けられている。そして、ベース板４０１にはスクリュー軸４０４が回動自在に設けられており、スクリュー軸４０４の上部が軸受部４０３に回動自在に支持されている。
【００４８】
また、スクリュー軸４０４の下部はベース板４０１に設けたボックス４０５に回動自在に支持されている。また、ボックス４０５内には図１０に示すモータＭ４が設けられており、このモータＭ４によってスクリュー軸４０４が回動するようになっている。
【００４９】
スクリュー軸４０４は、環状のパイプ４０６を保持したリング板４０７の基部４０７Ａに設けネジ孔４０７ａに螺合されており、スクリュー軸４０４の回動によりリング板４０７とともにパイプ４０６が上下動するようになっている。そして、スクリュー軸４０４とモータＭ４とリング板４０７等とでパイプ４０６を上下動させる移動機構が構成されている。
【００５０】
また、パイプ４０６の内側には第１実施例のノズル１０１,１０２と同様な複数のノズル孔４０６ａが形成されている。
【００５１】
パイプ４０６は非通水性の袋４０８内に密閉されており、またパイプ４０６は二股を有するホースＨ６によって送水ポンプ４０９,４１０を介して２つの貯水槽４１１,４１２に連通されている。貯水槽４１１,４１２は軟質の気密部材（図示せず）で覆われており、袋４０８には足を入れる穴４０８Ａが形成されている。
【００５２】
貯水槽４１１にはヒータ４１３が設けられており、貯水槽４１１に溜められて水を加熱するようになっている。また、袋４０８は二股のホースＨ７を介して貯水槽４１１,４１２に連通され、パイプ４０６のノズル孔４０６ａから噴出した水や温水が袋４０８およびホースＨ７を介して貯水槽４１１,４１２に戻るようになっている。
【００５３】
図１０に示す制御装置４５２は、リモコン２００の操作に基づいてポンプ４０９,４１０,モータＭ４およびヒータ４１３を制御するようになっている。
【００５４】
この第３実施例の脚部用施療装置４００によれば、送水ポンプ４０９,４１０を交互に動作させることにより、パイプ４０６のノズル孔４０６ａから水と温水とを交互に噴出させることができ、これにより脚部に温度の刺激を与えることができ、血管の拡張を促すことができる。
【００５５】
これは、水を用いて温熱刺激や機械的刺激を与えて健康保持・増進を行う物理療法である水治療法の交代浴では、冷水（２０゜Ｃ〜３０゜Ｃ）と温水（３７゜Ｃ〜４０゜Ｃ）を交互に行うと血管拡張に効果があるといわれている。
【００５６】
リング板４０７は第１実施例と同様に移動させ、パイプ４０６のノズル孔４０６ａから噴出する水または温水の圧力の強さは一定であるが、足首側から膝側へ移動していく際に、水の噴出する強さを徐々に弱くなるようにしてもよく、また、断続的にパイプ４０６のノズル孔４０６ａ…から水または温水を噴出させてもよい。
【００５７】
脚部用施療装置４００は、専用の脚部用として単独で使用してもよく、椅子のオットマンに設けて椅子式施療装置として使用してもよい。
［第４実施例］
図１１は第４実施例の脚部用施療装置５００を示したものである。この脚部用施療装置５００は、図９に示すリング板４０７に二つの環状のパイプ５０１,５０２を取り付け、脚部の脹ら脛と脛骨との間の部分と、脹ら脛の後部とにパイプ５０１のノズル孔５０１ａを対向させ、他の部分にパイプ５０２のノズル孔５０２ａを対向させ、パイプ５０１に容量（パワー）の大きいポンプ５０３によって貯水槽５０４の水を送水し、パイプ５０２に容量（パワー）の小さいポンプ５０５によって貯水槽５０４の水を送水し、パイプ５０１のノズル孔５０１ａから噴出する水の圧力を強くし、パイプ５０２のノズル孔５０２ａから噴出する水の圧力を弱くしたものである。
【００５８】
これは、脛骨に噴出した水を当てると痛みを感じてしまい、指圧効果も得られないからである。また、指圧効果が得られる部分に当たる水の圧力を強くしたものであり、このようにすることにより快適な施療効果が得られることになる。
【００５９】
なお、リング板４０７は、第３実施例と同様な移動機構により上下動するようになっている。
【００６０】
また、パイプ５０１,５０２のノズル孔５０１ａ,５０２ａから噴出させる水の圧力は一定であるが、パイプ５０１,５０２が足首側から膝側へ移動していく際に、水の噴出する強さを徐々に弱くなるようにしてもよく、また、断続的にパイプ５０１,５０２のノズル孔５０１ａ…,５０２ａ…から水を噴出させてもよい。
【００６１】
脚部用施療装置５００は、専用の脚部用として単独で使用してもよく、椅子のオットマンに設けて椅子式施療装置として使用してもよい。
【００６２】
図１２は、他の例のパイプ６０１を示したものである。このパイプ６０１は、径の大きさの異なるノズル孔６０１ａ,６０１ｂを設けてそれぞれ水を噴出させるようにしたものである。すなわち、径の大きいノズル孔６０１ａから多量の水を噴出させ、径の小さいノズル孔６０１ｂから少量の水を噴出させることにより、脚部に与える押圧力を変えたものである。そして、ノズル孔６０１ａは脚の前外側と、脹ら脛と、脚内側等とに対向して設けられ、ノズル孔６０１ｂはその他の部位に対向して設けられている。
【００６３】
図１３は、別な他の例のパイプ７０１を示したものである。このパイプ７０１は、単位面積当たりの孔の数を異なるようにして、脚部に与える押圧力を変えたものである。すなわち、孔７０１ａの数の多いノズル孔７０１Ａから多量の水を噴出させて脚部に与える単位面積当たりの押圧力を強くし、孔７０１ｂの数の少ないノズル孔７０１Ｂから少量の水を噴出させて脚部に与える単位面積当たりの押圧力を弱くしたものである。そして、ノズル孔７０１Ａは脚の前外側と、脹ら脛と、脚内側等とに対向して設けられ、ノズル孔７０１Ｂはその他の部位に対向して設けられている。なお、孔７０１ａ,７０１ｂの径の大きさは同じである。
［第５実施例］
図１４は、第５実施例の脚部用施療装置８００を示したものである。この脚部用施療装置８００は、図７に示す第２実施例のパイプ３０３…を円筒容器８０１で覆い、この円筒容器８０１の上部開口８０２をシート８０３で覆い、このシート８０３に足を挿入する挿入口８０４を拡開可能に設け、円筒容器８０１の下部に足を入れる容器（回収部）８０５を一体形成し、この容器８０５に溜まる水を貯水槽３０４へ循環させるようにしたものである。
【００６４】
この脚部用施療装置８００は、パイプ３０３…のノズル孔３０３ａから噴出する水を直接脚部に当てるようにしたものである。他は、第２実施例と同じ構成であり、動作も同じなのでその説明は省略する。
【００６５】
この第５実施例の脚部用施療装置８００では、複数のパイプ３００を上下に並設しているが、１つのパイプ３００を図９に示すように上下動させるようにしてもよい。
【００６６】
上記実施例はいずれもノズル孔から水を噴出させているが、比重の大きい油（流体）を噴出させてもよい。第５実施例の場合には、薬効のある漢方薬や鉱泉を含んだ液体を噴出させてもよい。
【図面の簡単な説明】
【００６７】
【図１】この発明に係る椅子式施療装置の外観を示した斜視図である。
【図２】オットマンに設けた脚部用施療装置の構成を示した断面図である。
【図３】図２に示す脚部用施療装置の主要部を示した拡大断面図である。
【図４】移動機構の構成を示した説明図である。
【図５】椅子式施療装置の制御系の構成を示したブロック図である。
【図６】パイプのノズル孔から水が噴出した状態を示した説明図である。
【図７】第２実施例の脚部用施療装置の構成を示した斜視図である。
【図８】図７に示す脚部用施療装置の制御系の構成を示したブロック図である。
【図９】第３実施例の脚部用施療装置の構成を示した斜視図である。
【図１０】図９に示す脚部用施療装置の制御系の構成を示したブロック図である。
【図１１】第４実施例の脚部用施療装置の主要部を示した説明図である。
【図１２】他の例のパイプを示した説明図である。
【図１３】他の別な例のパイプを示した説明図である。
【図１４】第５実施例の脚部用施療装置を示した斜視図である。
【符号の説明】
【００６８】
１０１          パイプ
１０２          パイプ
１０１ａ        ノズル孔
１０２ａ        ノズル孔
１０３          袋
１７２          送水ポンプ（ポンプ）
【図１】
2005270199.tif 000003
【図２】
2005270199.tif 000004
【図３】
2005270199.tif 000005
【図４】
2005270199.tif 000006
【図５】
2005270199.tif 000007
【図６】
2005270199.tif 000008
【図７】
2005270199.tif 000009
【図８】
2005270199.tif 000010
【図９】
2005270199.tif 000011
【図１０】
2005270199.tif 000012
【図１１】
2005270199.tif 000013
【図１２】
2005270199.tif 000014
【図１３】
2005270199.tif 000015
【図１４】
2005270199.tif 000016